(57)【要約】【課題】ロール紙を支持するための心棒に被せた外筒に芯管無しロール紙の中心細孔を通してロール紙を外筒と共に回転させ得るように支持することで、ロール紙繰り出しに伴うロール紙回転を阻害しないようにすること。【解決手段】芯管無しロール紙１をその中心細孔１Ａに通した心棒２でホルダ側体３に支持するタイプのロール紙ホルダを構成するに当たり、前記心棒２の基部２Ａに取着した枢支筒４を枢軸５に挿入した後、この枢軸を前記側体３の前寄り下部に下向きに突設固定することで、側体３に対して心棒２を前後方向に回動可能に片持ち枢支し、かつ、この心棒２に外筒６を滑り空転可能に被せた後、心棒２に対する外筒６の抜け止めを施こした。【選択図】      図１
2004351066.tif 000002
【特許請求の範囲】
【請求項１】
芯管無しのロール紙をその中心細孔に通した心棒でホルダ側体に支持するタイプの平面ほぼコ字状のロール紙ホルダにおいて、前記心棒の基部に取着した枢支筒を下鍔付きの枢軸に挿入し、この枢軸を前記側体の前寄り下部に下向きに突設固定することで、側体に対して心棒を前後方向に回動可能に片持ち枢支し、かつ、この心棒に外筒を滑り空転可能に被せた後、心棒に対する外筒の抜け止めを施こした芯管無しロール紙の枢支ホルダ。
【請求項２】
芯管無しのロール紙をその中心細孔に通した心棒でホルダ側体に支持するタイプの平面ほぼヨ字状の横隣設一体化ロール紙ホルダにおいて、前記心棒の基部に取着した枢支筒を下鍔付きの枢軸に挿入し、この枢軸を前記側体の前寄り下部に下向きに突設固定することで、側体に対して心棒を前後方向に回動可能に片持ち枢支し、かつ、この心棒に外筒を滑り空転可能に被せた後、心棒に対する外筒の抜け止めを施こした芯管無しロール紙の枢支ホルダ。
【請求項３】
芯管無しロール紙１をその中心細孔１Ａに通した心棒２でホルダ側体３に支持するタイプのロール紙ホルダにおいて、前記心棒２の基部２Ａに取着した枢支筒４を下鍔５Ａ付きの枢軸５に挿入し、この枢軸を前記側体３の前寄り下部に下向きに突設固定することで、側体３に対して心棒２を前後方向に回動可能に片持ち枢支し、かつ、この心棒２に外筒６を滑り空転可能に被せて心棒２に対する外筒６の抜け止めを施こした芯管無しロール紙の枢支ホルダ。
【請求項４】
芯管無しロール紙１をその中心細孔１Ａに通した心棒２でホルダ側体３に支持するタイプのロール紙ホルダにおいて、前記心棒２の基部２Ａを枢支筒４の下溝付き挿着筒部４Ａに挿着固定し、この枢支筒４を下鍔５Ａ付きの枢軸５に挿入してその上部における対向鉤片５Ｂを前記側体３の前寄り下部の係止孔３Ａに凹凸係合させて前記枢軸５を前記側体３の前寄り下部に下向きに突設固定することで、側体３に対して心棒２を前後方向に回動可能に片持ち枢支し、かつ、この心棒２に外筒６を滑り空転可能に被せた後、心棒２に対する外筒６の抜け止めを施こし、この外筒６に前記心棒２の自由端２Ｂからロール紙１の中心細孔１Ａを挿通することで、このロール紙１を心棒２に対し外筒６と共に回転するように支持可能となした芯管無しロール紙の枢支ホルダ。
【請求項５】
芯管無しロール紙１をその中心細孔１Ａに通した心棒２でホルダ側体３に支持するタイプのロール紙ホルダにおいて、前記側体３の前寄り下部に下向きに突設した枢軸５に捻じれコイルばね７を介在し、その上曲がり端７Ａを前記枢軸５の内面溝５Ｄに係入固定して枢支筒４を前記枢軸５に通し、前記捻じれコイルばね７の下曲がり端７Ｂを枢支筒４の係止溝４Ｃに係合させつつこの枢支筒４を枢軸上部まで挿入した後、この枢軸５の下部に下鍔５Ａを取着して枢支筒４の抜け止めを施こすことで、心棒２を前記ばね７の捻じれ復元弾力でロール紙使用位置に復帰可能に片持ち枢支し、かつ、この心棒２に外筒６を滑り空転可能に被せて心棒２に対する外筒６の抜け止めを施こした芯管無しロール紙の枢支ホルダ。
【請求項６】
前記心棒２の自由端２Ｂに対向する側体３に心棒自由端２Ｂをロール紙使用位置に係止する心棒ロック部８を設けた請求項１から請求項５までのいずれか一つの請求項に記載の芯管無しロール紙の枢支ホルダ。
【請求項７】
前記心棒２を下向き枢軸３Ａに対し、ロール紙繰り出し力では前後方向に回動しない程度の枢支摩擦を保ち枢支することで、心棒２の妄動を阻止してなる請求項１から請求項５までのいずれか一つの請求項に記載の芯管無しロール紙の枢支ホルダ。
【請求項８】
前記ロール紙１の上部前寄り外周面に前記ホルダ１の後部における左右の枢支部９ａで起伏可能に枢支した紙切り板９の前辺下部９Ａを弾接し、この前辺下部９Ａを経て前方へ繰り出したロール紙１の繰り出し部を前記紙切り板９の前辺刃先９Ｂでカット可能となした請求項１から請求項７までのいずれか一つの請求項に記載の芯管無しロール紙の枢支ホルダ。
【発明の詳細な説明】
【０００１】
【発明の属する技術分野】
この発明は、芯管無しロール紙またはロール巻きシート状物をその中心細孔に通した心棒で支持するタイプのロール紙枢支ホルダに係り、特にロール紙繰り出しに伴うロール紙中心部分の心棒に対する絡み付きを無くし、ロール紙の繰り出し使用を常に快適に実行できる芯管無しロール紙の枢支ホルダに関する。
【０００２】
【従来の技術】
中心細孔を有するトイレットペーパーなどの芯管無しロール紙の枢支ホルダとしては従来、特開平１０−１２７５２５号公報記載のもののように、横隣設一体化ロール紙ホルダにおけるホルダ側体の前寄り下部に心棒を回動可能に片持ち枢支横設し、この心棒にその自由端から芯管無しロール紙の中心細孔を通してロール紙を空転可能に支持するとともに、このロール紙の上部前寄り外周面に前記ホルダの後部に枢支した紙切り板の前辺下部を弾接し、この前辺下部を経たロール紙の摘み代を前方へ繰り出してこの繰り出し部を前記紙切り板の前辺刃先でカットできるようにした横隣設一体化ロール紙ホルダが周知である。
【０００３】
【発明が解決しようとする課題】
ところが、この従来例における前記心棒は、その軸線を中心に回転しない構造であるから、この非回転心棒に通した前記芯管無しロール紙の中心細孔付近の紙は、その回転時に生じる心棒との強い摩擦や湿気による吸着力または静電気吸着力により、ロール紙の繰り出し回転に伴って心棒にきつく絡み付き易く、肝心のロール紙の繰り出し回転を大きく阻害し、繰り出し途中のロール紙が千切れたり、繰り出し不可能になり易いという本質的かつ、大きな問題点が有る。
【０００４】
この発明は、前記従来例における問題点を除去するために、ロール紙繰り出しに伴うロール紙中心部分の心棒に対する絡み付きを無くすることで、ロール紙の繰り出し使用を常に快適に実行できるようにすることを目的とする。
【０００５】
【課題を解決するための手段】
上記した本発明の目的は、芯管無しのロール紙をその中心細孔に通した心棒でホルダ側体に支持するタイプのロール紙ホルダを構成するに当たり、前記心棒の基部に取着した枢支筒を枢軸に挿入後、この枢軸を前記側体の前寄り下部に下向きに突設固定することで、側体に対して心棒を前後方向に回動可能に片持ち枢支し、かつ、この心棒に外筒を滑り空転可能に被せた後、心棒に対する外筒の抜け止めを施こしたことで達成できた。
【０００６】
【発明の実施の形態】
本発明の実施の形態のうち、先ず本発明の基本的な形態例を説明する。
本発明の基本的な形態は、図１のように芯管無しのロール紙１をその中心細孔１Ａに通した心棒２で支持するタイプのロール紙ホルダＨを構成するに当たり、このホルダＨを図２のようにプラスチックなどで平面ほぼコ字状に成形し、その左右の側体３のうち例えば右側の側体３の前寄り下部に前記心棒２を前向き回動可能に片持ち枢支するに当たり、先ず、前記心棒２の基部２Ａを図２のような枢支筒４に横向き突設した下溝付きの挿着筒部４Ａに図３のように無理嵌め固定し、この枢支筒４の縦向き枢支孔４Ｂを下鍔５Ａ付きの枢軸５に挿入した後、この枢軸５の上部における先細斜面付きの対向鉤片５Ｂをその弾力に抗して前記側体３の前寄り下部に縦設した係止孔３Ａに下部から挿通し、対向鉤片５Ｂを係止孔３Ａの縁辺に図４のようにパチンと一発係合させて前記枢軸５を前記側体３の前寄り下部に下向きに突設することで、側体３に対して心棒２を図１のロール紙使用位置から図５のロール紙挿通開始位置に回動できるように片持ち枢支する。
なお、前記枢軸５を側体３に下向きに突設固定するには、側体３の前寄り下部に枢軸取着孔を縦に形成し、この枢軸取着孔に上記枢軸５の上部を無理嵌めして突設したり、側体３の前寄り下面に枢軸５をねじ止めなどで突設してもよい。
【０００７】
次いで、前記心棒２にプラスチックなどで作った外筒６を図３のように滑り空転可能に被せた後、心棒２に対する外筒６の抜け止めを施こし、この外筒６に前記心棒２の自由端２Ｂからロール紙１の中心細孔１Ａを図５のように挿通することで、このロール紙１を心棒２に対し外筒６と共に回転させ得るように図１のように支持可能となした芯管無しロール紙の枢支ホルダの基本形態を構成する。
ただし、外筒６の心棒基部２Ａ方向への抜け止めは、図３のように心棒２の基部２Ａに一体突設した抜け止め突環２Ｃで施こしたり、または上記枢支筒４の外面に外筒６端部を突き当てることで施こせると共に心棒２を補強でき、心棒２の自由端２Ｂ方向への外筒６の抜け止めは、上記自由端２Ｂ付近のリング溝２Ｄに弾力係合させた割溝付きの抜け止めリング２Ｅなどで図３のように施こせる。
【０００８】
また、前記心棒２を常にロール紙使用位置となるように自己復帰可能に片持ち枢支横設するには、図４のように前記側体３の前寄り下部の係止孔３Ａにその下方から図６のような下鍔の無い枢軸５をその上部対向鉤片５Ｂで前記のように凹凸係合させて突設固定し、この枢軸５の小径部５Ｃの周囲に図６のような捻じれコイルばね７を介在し、その上曲がり端７Ａを前記枢軸５の内面溝５Ｄに図４のように係入定位した状態で、枢支筒４の枢支孔４Ｂを前記枢軸５に通し、ばね７の下曲がり端７Ｂを枢支筒４の係止溝４Ｃに係合させつつこの枢支筒４を前記側体３の下面に近い枢軸上部まで図４のように挿入した後、この枢軸５の下部に図６のような抜け止め用下鍔５Ａを止めねじｎなどで同図４のように取着し、枢軸５から枢支筒４の抜去を阻止することで、側体３に対し心棒２を上記捻じれコイルばね７の弾力で常にはロール紙使用位置に復帰可能に片持ち枢支できる。
【０００９】
すなわち、上記捻じれコイルばね７の弾力に抗して前記心棒２を枢軸５を支点として手指などで図５のようなロール紙挿通開始位置に前向き回動させ、前記外筒６にロール紙中心細孔１Ａを挿通した後、心棒２から手指を離すことで、心棒２は、上記コイルばね７の捻じれ復元弾力で心棒自由端２Ｂが側体内面に接する図１のようなロール紙使用位置にロール紙１と共に自己復帰するようになる。
【００１０】
また、心棒２に対し外筒６と共に回転可能に図１のように支持したロール紙１の上部前寄り外周面に前記ホルダ１の後部における左右の枢支部９ａで起伏可能に枢支した紙切り板９の前辺下部９Ａを弾接させることで、この前辺下部９Ａを経て前方へ繰り出したロール紙１の繰り出し部を前記紙切り板９の前辺刃先９Ｂでカットして使用できるロール紙枢支ホルダＨも構成できる。
【００１１】
本発明のロール紙枢支ホルダＨは以上のような構成のもので、これを使用するには、先ず、図５のようなロール紙挿通開始位置にある外筒６に心棒自由端２Ｂから芯管無しロール紙１の中心細孔１Ａを通した後、心棒２を前記枢軸５を支点として図１のロール紙使用位置に後向き回動させて定位することで、ロール紙１をロール紙枢支ホルダＨに対し外筒６と共に回転可能に支持できる。
そして、このロール紙１の上部前寄り外周面に前記紙切り板９の前辺下部９Ａを図１のように弾接させ、この紙切り板前辺下部９Ａを経てロール紙１を前方へ繰り出すに当たり、この芯管無しロール紙１の中心細孔１Ａ付近の紙が外筒６にきつく密着していても、このロール紙１は、前記のように外筒６と共に心棒２を中心として円滑に回転させ得るから、ロール紙繰り出し部を千切らずに常に快適に繰り出して前記紙切り板９の前辺刃先９Ｂで軽快にカットして使用できる。
ロール紙１の全部を繰り出し使い終えたら、心棒２を図５のようにロール紙挿通開始位置に回動させ、空になった外筒６に新しいロール紙１の中心細孔１Ａを挿入した後、この新しいロール紙１を心棒２や外筒６と共に図１のロール紙使用位置に回動定位することで、ロール紙１を空転可能に支持して使用できる。
【００１２】
【実施例】
前記ロール紙１を外筒６に通して支持した心棒２の自由端２Ｂをロール紙使用位置にロックするには、図１のロール紙使用位置にある心棒２の自由端２Ｂに対向している側体３に形成した図７のようなほぼコ字状の切り溝３Ｂ内に設けた凹所や孔または、側体自体の凹所または孔などの心棒ロック部８に心棒自由端２Ｂを上記切り溝３Ｂ内の側体部分の弾性、または側体固有の弾性に抗して同図７および図１のようにパチンと凹凸係合させることで、通常のロール紙繰り出し力では同図１のような使用中の心棒２やロール紙１が妄りに動かないようにロックすることもでき、また、手指などのやや強い加力で心棒自由端２Ｂを上記心棒ロック部８から上記弾性に抗し図７のように外すことで、心棒２を前記枢軸５を支点として図５のようなロール紙挿通開始位置に前向き回動させることができる。
【００１３】
さらに、前記枢支筒４をその下部にゴムリングやスプリングワッシャなどの摩擦発生部材（周知のものでよいから図示せず）を介在させて枢軸５に適度の枢支摩擦を保ち枢支することで、ロール紙繰り出し力では図１のような使用中の横向き心棒２が妄りに動かないように枢支でき、また上記枢支摩擦に抗したやや強い加力で心棒２を図５のようなロール紙挿通開始位置に回動したとき、この回動位置でも心棒２を妄動させずにロール紙中心細孔１Ａを外筒６に通し易くすることもできる。なお、この場合には前記心棒ロック部８は不要となる。
【００１４】
【発明の効果】
本発明における請求項１から請求項３までの各発明によれば、芯管無しロール紙１をその中心細孔１Ａに通した心棒２でホルダ側体３に支持するタイプのロール紙ホルダを構成するに当たり、前記心棒２の基部２Ａを枢支筒４に挿着固定し、この枢支筒４を下鍔５Ａ付きの枢軸５に挿入してこの枢軸を前記側体３の前寄り下部に下向きに突設固定することで、側体３に対して心棒２を前後方向に回動可能に片持ち枢支し、かつ、この心棒２に外筒６を滑り空転可能に被せて心棒２に対する外筒６の抜け止めを施こし、この外筒６に前記心棒２の自由端２Ｂからロール紙１の中心細孔１Ａを挿通することで、このロール紙１を心棒２に対し外筒６と共に回転させ得るように支持できたので、ロール紙繰り出し回転に伴うロール紙中心部分の心棒に対する絡み付きが全く無くなり、ロール紙１を常に快適に繰り出し使用できる共に、上記外筒６で心棒２の補強も可能な芯管無しロール紙の枢支ホルダを安価に多量製造することができたという優れた効果が有る。
【００１５】
本発明における請求項４の発明では、前記した諸効果に加えて、前記心棒２の基部２Ａを枢支筒４の下溝付き横向き挿着筒部４Ａに挿着固定し、この枢支筒４の縦向き枢支孔４Ｂを下鍔５Ａ付きの枢軸５に挿入し、その上部における対向鉤片５Ｂを前記側体３の前寄り下部の係止孔３Ａの縁辺に凹凸係合させて前記枢軸５を前記側体３の前寄り下部に下向きに突設固定することで、作業性よく側体３に対して心棒２を前後方向に回動可能に片持ち枢支できると共に、心棒２に過大な外力が加わると、この力で上記挿着筒部４Ａの下溝が拡開して心棒２が外れるので、安全かつ、心棒自体は折損せず再利用できるという効果を付加できた。
【００１６】
本発明における請求項５の発明によれば、前記した諸効果に加えて、前記側体３の前寄り下部に下向きに突設した枢軸５に捻じれコイルばね７を介在し、その上曲がり端７Ａを前記枢軸５の内面溝５Ｄに係入固定した状態で枢支筒４の枢支孔４Ｂを前記枢軸５に通し、前記ばね７の下曲がり端７Ｂを枢支筒４の係止溝４Ｃに係合させ、この枢支筒４を枢軸上部まで挿入した後、この枢軸５の下部に下鍔５Ａを取着して枢支筒４の抜け止めを施こすことで、側体３に対し心棒２を上記ばね７の捻じれ復帰弾撥力でロール紙挿通開始位置から常にロール紙使用位置に自己復帰可能に片持ち枢支できたので、ロール紙ホルダの周辺には無用な心棒の突出が無くなり、より一層安全に使用できるという効果を付加できた。
また，本発明における請求項６の発明では前記諸効果のほかに、心棒自由端２Ｂに対向する側体３に心棒ロック部８を設けたので、ロール紙１の繰り出し使用時における心棒２とロール紙１の妄動を阻止でき、一層安定かつ、安全にロール紙１を繰り出し使用できるという効果を付加できた。
【００１７】
本発明における請求項７の発明によれば、前記心棒２を下向き枢軸５に対し、ロール紙繰り出し力では前後方向に回動しない程度の枢支摩擦を保ち枢支することで心棒２の妄動を阻止できたので、ロール紙１の繰り出し使用時における心棒２と、ロール紙挿通開始位置における心棒２の妄動をそれぞれ阻止でき、ロール紙１の外筒６に対する補充を片手操作でも実行し易くできたし、ロール紙１の繰り出し使用を安定かつ、安全に実行できるという効果を付加できた。
【００１８】
また本発明における請求項８の発明では、前記した諸効果に加えて、前記ロール紙１の上部前寄り外周面に前記ホルダ１の後部における左右の枢支部９ａで起伏可能に枢支した紙切り板９の前辺下部９Ａを弾接したので、この前辺下部９Ａを経たロール紙１をその摘み代から前方へ繰り出してこの繰り出し部を前記紙切り板９の前辺刃先９Ｂでカットして使用できるという効果を付加できた。
【図面の簡単な説明】
【図１】本発明の実施形態の一例を示す斜視図
【図２】本発明によるロール紙枢支ホルダの分解斜視図
【図３】本発明の要部の一例を示す拡大断面図と斜視図
【図４】本発明の他の要部の例を示す拡大断面図
【図５】図１と状態を異にしたロール紙枢支ホルダの斜視図
【図６】本発明の他の例を示す分解斜視図
【図７】本発明における心棒ロック部の一例を示す説明図
【符号の説明】
Ｈ      ロール紙枢支ホルダ
１      芯管無しロール紙
１Ａ    ロール紙の中心細孔
２      心棒
２Ａ    心棒基部
２Ｂ    心棒自由端
３      ロール紙枢支ホルダの側体
３Ａ    側体の枢軸係止孔
４      枢支筒
４Ａ    心棒挿着筒部
５      枢軸
５Ａ    下鍔
５Ｂ    枢軸の対向鉤片
６      外筒
７      捻じれコイルばね
８      側体の心棒ロック部
９      紙切り板
９Ａ    紙切り板の前辺下部
９Ｂ    紙切り板の前辺刃先
【図１】
2004351066.tif 000003
【図２】
2004351066.tif 000004
【図３】
2004351066.tif 000005
【図４】
2004351066.tif 000006
【図５】
2004351066.tif 000007
【図６】
2004351066.tif 000008
【図７】
2004351066.tif 000009